(57)【要約】【課題】複数の端子金具を圧着することができ、しかも、装置の小型化を図ることが可能な端子圧着装置及び端子圧着方法を提供すること。【解決手段】端子圧着装置は、圧着ポジションの下方に配置されるアンビルと、圧着ポジションの上方に配置されるクリンパと、クリンパを押し下げることでアンビルとクリンパとで電線に端子金具１ａ〜１ｄを圧着させる押圧機構と、圧着ポジションへ端子金具１ａ〜１ｄを供給するための端子供給機構４１と、を備える。端子供給機構４１には、各種の端子金具１ａ〜１ｄをそれぞれ保持する複数の端子ホルダ３１ａ〜３１ｄが配列された端子マガジン２１が着脱可能に設けられ、端子供給機構４１は、端子マガジン２１を移動させて端子ホルダ３１ａ〜３１ｄに保持された端子金具１ａ〜１ｄを圧着ポジションへ搬送する。【選択図】図５
2019061846.tif 000002
【特許請求の範囲】
【請求項１】
圧着ポジションに配置された端子金具を電線に圧着する端子圧着装置であって、
前記圧着ポジションの下方に配置されるアンビルと、
前記圧着ポジションの上方に配置されるクリンパと、
前記クリンパを押し下げることで前記アンビルと前記クリンパとで前記電線に前記端子金具を圧着させる押圧機構と、
前記圧着ポジションへ前記端子金具を供給するための端子供給機構と、を備え、
前記端子供給機構には、各種の前記端子金具をそれぞれ保持する複数の端子ホルダが配列された端子マガジンが着脱可能に設けられ、
前記端子供給機構は、前記端子マガジンを移動させて前記端子ホルダに保持された前記端子金具を前記圧着ポジションへ搬送する
ことを特徴とする端子圧着装置。
【請求項２】
複数種類の前記端子金具をそれぞれ前記電線に圧着する複数対の前記アンビルと前記クリンパを有するマルチアプリケータを備え、
前記マルチアプリケータは、前記圧着ポジションに送り込まれる前記端子金具に対応する対の前記アンビルと前記クリンパが選択されて前記圧着ポジションへ配置される
ことを特徴とする請求項１に記載の端子圧着装置。
【請求項３】
電線に圧着される端子金具が、端子マガジンに取り付けられた少なくとも１つの端子ホルダに保持される工程と、
前記端子ホルダに前記端子金具を保持した前記端子マガジンが、端子搬送方向に沿って圧着ポジションへ向かって移動される工程と、
前記圧着ポジションに配置された前記端子金具の電線接続部が、導体が露出された電線の端部にアンビル及びクリンパの対によりかしめられる工程と、を含む
ことを特徴とする端子圧着方法。
【発明の詳細な説明】
【技術分野】
【０００１】
本発明は、電線の端部に端子金具を圧着して接続する端子圧着装置及び端子圧着方法に関する。
【背景技術】
【０００２】
ワイヤハーネスの製造には、作業台に設置された圧着機によって、電線の端部に端子金具を圧着する圧着工程がある（例えば、特許文献１参照）。
【０００３】
この圧着工程で用いられる圧着機としては、複数種類の端子金具に対応する複数対のアンビルとクリンパを有し、選択された対のアンビルとクリンパを共通の圧着ポジションに移動させて加工対象となる端子金具を電線に圧着するマルチ圧着装置が知られている（例えば、特許文献２，３参照）。
【先行技術文献】
【特許文献】
【０００４】
【特許文献１】特開平６−２２３６４６号公報
【特許文献２】特開２００５−１３５８２２号公報
【特許文献３】特開平１０−１２３４９号公報
【発明の概要】
【発明が解決しようとする課題】
【０００５】
ところで、従来の圧着機に供給される端子金具は、連鎖端子の状態で巻回されたリールから供給されるのが一般的であった。このため、各種の端子金具を電線に圧着する場合には、端子金具を供給するための供給装置やリールを端子金具の種類毎に設置しなければならず、装置が大型化してしまう。
【０００６】
本発明は、上述した事情に鑑みてなされたものであり、その目的は、複数の端子金具を圧着することができ、しかも、装置の小型化を図ることが可能な端子圧着装置及び端子圧着方法を提供することにある。
【課題を解決するための手段】
【０００７】
前述した目的を達成するために、本発明に係る端子圧着装置は、下記（１）及び（２）を特徴としている。
（１）  圧着ポジションに配置された端子金具を電線に圧着する端子圧着装置であって、
前記圧着ポジションの下方に配置されるアンビルと、
前記圧着ポジションの上方に配置されるクリンパと、
前記クリンパを押し下げることで前記アンビルと前記クリンパとで前記電線に前記端子金具を圧着させる押圧機構と、
前記圧着ポジションへ前記端子金具を供給するための端子供給機構と、を備え、
前記端子供給機構には、各種の前記端子金具をそれぞれ保持する複数の端子ホルダが配列された端子マガジンが着脱可能に設けられ、
前記端子供給機構は、前記端子マガジンを移動させて前記端子ホルダに保持された前記端子金具を前記圧着ポジションへ搬送する
ことを特徴とする端子圧着装置。
（２）  複数種類の前記端子金具をそれぞれ前記電線に圧着する複数対の前記アンビルと前記クリンパを有するマルチアプリケータを備え、
前記マルチアプリケータは、前記圧着ポジションに送り込まれる前記端子金具に対応する対の前記アンビルと前記クリンパが選択されて前記圧着ポジションへ配置される
ことを特徴とする上記（１）に記載の端子圧着装置。
【０００８】
上記（１）の構成の端子圧着装置によれば、各種の端子金具を複数の端子ホルダにそれぞれ保持させた端子マガジンを端子供給機構に装着することで、端子ホルダに保持された各種の端子金具が圧着ポジションに搬送されて電線に順次圧着される。したがって、端子金具を供給する供給装置や連鎖端子を巻回したリールを端子金具の種類毎に複数設置する必要がなく、端子圧着装置の小型化を図ることができ、設置スペースを削減できる。
上記（２）の構成の端子圧着装置によれば、マルチアプリケータに設けられた複数対のアンビルとクリンパのうちから圧着対象の端子金具に対応する対のアンビルとクリンパが選択され、この選択されたアンビルとクリンパによって、圧着ポジションに供給された端子金具が電線に圧着される。したがって、複数種類の端子金具を迅速に電線へ圧着させることができ、多品種少量生産においても、生産性及び品質の向上を図ることができる。
【０００９】
また、上述した目的を達成するために、本発明に係る端子圧着方法は、下記（３）を特徴としている。
（３）  電線に圧着される端子金具が、端子マガジンに取り付けられた少なくとも１つの端子ホルダに保持される工程と、
前記端子ホルダに前記端子金具を保持した前記端子マガジンが、端子搬送方向に沿って圧着ポジションへ向かって移動される工程と、
前記圧着ポジションに配置された前記端子金具の電線接続部が、導体が露出された電線の端部にアンビル及びクリンパの対によりかしめられる工程と、を含む
ことを特徴とする端子圧着方法。
【００１０】
上記（３）の端子圧着方法によれば、各種の端子金具を複数の端子ホルダにそれぞれ保持させた端子マガジンが圧着ポジションに移動されることで、端子金具が電線に順次圧着される。そこで、端子金具を供給する供給装置や連鎖端子を巻回したリールを端子金具の種類毎に複数設置する必要がなく、端子圧着装置の小型化を図ることができ、設置スペースを削減できる。
【発明の効果】
【００１１】
本発明によれば、複数の端子金具を圧着することができ、しかも、装置の小型化を図ることが可能な端子圧着装置及び端子圧着方法を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、電線に圧着された端子金具の一例を示す斜視図である。
【図２】図２は、本実施形態に係る端子圧着装置の斜視図である。
【図３】図３は、本実施形態に係る端子圧着装置の正面図である。
【図４】図４は、本実施形態に係る端子圧着装置の左側面図である。
【図５】図５は、スライドレールにセットされた端子マガジンの斜視図である。
【図６】図６は、端子ホルダに端子金具を保持させた端子マガジンの斜視図である。
【図７】図７は、端子ホルダを説明する図であって、図７の（ａ）は、係止板が開いた状態の斜視図、図７の（ｂ）は、係止板が閉じた状態の斜視図である。
【図８】図８は、端子ホルダを説明する図であって、図８の（ａ）は、係止板が開いた状態の下方側から視た斜視図、図８の（ｂ）は、係止板が閉じた状態の下方側から視た斜視図である。
【図９】図９は、端子ホルダの分解斜視図である。
【図１０】図１０は、各種の端子金具及び各種の端子ホルダの斜視図である。
【図１１】図１１は、各種の端子金具を保持した各種の端子ホルダの斜視図である。
【図１２】図１２は、本実施形態に係る端子圧着装置の主要構成部分の右方側から視た斜視図である。
【図１３】図１３は、本実施形態に係る端子圧着装置の主要構成部分の左方側から視た斜視図である。
【図１４】図１４は、本実施形態に係る端子圧着装置の主要構成部分の後方側から視た斜視図である。
【図１５】図１５は、電線供給部及びマルチアプリケータの斜視図である。
【図１６】図１６は、圧着ポジションを右側から視た要部斜視図である。
【図１７】図１７は、圧着ポジションを左側から視た要部斜視図である。
【図１８】図１８は、図１７に示した被覆クリンパを取り外した状態の要部斜視図である。
【図１９】図１９は、押圧機構の前方側から視た斜視図である。
【図２０】図２０は、押圧機構の後方側から視た斜視図である。
【発明を実施するための形態】
【００１４】
以下、本発明に係る実施の形態の例を、図面を参照して説明する。
まず、本実施形態に係る端子圧着装置及び端子圧着方法によって電線に接続される端子金具について説明する。
図１は、電線６に圧着された端子金具１の一例を示す斜視図である。
図１に示すように、端子金具１は、例えば、自動車等の車両に配索されるワイヤハーネスを構成する電線６の端部に圧着されて電気的に接続される。電線６は、導体７と、この導体７を覆う樹脂からなる被覆８とを有した被覆電線である。
【００１５】
端子金具１は、前部に電気接続部２を有し、後部に電線接続部３を有している。端子金具１は、銅または銅合金、或いはアルミニウムまたはアルミニウム合金等の導電性金属板からなる母材に対してプレス加工（打ち抜き加工及び曲げ加工）を施すことで形成されたものである。電気接続部２には、接続相手の端子金具の電気接続部が電気的に接続される。
【００１６】
電線接続部３は、電線６の端部に圧着されて電気的に接続される。電線接続部３は、前側に導体圧着部４を有し、後側に被覆圧着部５を有している。導体圧着部４は、一対の導体圧着片４ａを有し、被覆圧着部５は、一対の被覆圧着片５ａを有している。導体圧着部４の一対の導体圧着片４ａは、電線６の端部で露出された導体７に対して両側からかしめられ、被覆圧着部５の一対の被覆圧着片５ａは、電線６の端部における被覆８の部分（被覆部分）に両側からかしめられる。これにより、端子金具１は、電線６に対して圧着されて電気的に接続される。
【００１７】
端子金具１としては、接続相手の端子金具の電気接続部に接続可能な様々な大きさや形状の電気接続部２を有する複数種類のものがある。また、端子金具１としては、導体７及び被覆８の径や種類が異なる様々な電線６に対応した電線接続部３を有する複数種類のものがある。
【００１８】
本実施形態に係る端子圧着装置１０は、複数種類の端子金具１（以下、端子金具１ａ〜１ｄとも云う）に電線６を圧着して接続させることが可能な端子圧着装置である（図１０参照）。以下、本実施形態に係る端子圧着装置１０について説明する。
【００１９】
図２〜図４は、本実施形態に係る端子圧着装置１０の斜視図、正面図および左側面図である。
【００２０】
図２〜図４に示すように、端子圧着装置１０は、端子供給部２０と、電線供給部７０と、端子圧着部１００とを備えている。これらの端子供給部２０、電線供給部７０及び端子圧着部１００は、架台１１上に固定されている。
また、端子圧着装置１０は、これらの端子供給部２０、電線供給部７０及び端子圧着部１００の駆動を制御するための制御装置１２及び操作パネル１４を備えており、これら制御装置１２及び操作パネル１４も架台１１上に固定されている。
【００２１】
端子圧着装置１０は、端子供給部２０によって圧着ポジションＡに供給された端子金具１に対して導体７が露出された電線６の端部が電線供給部７０によって供給される。そして、この圧着ポジションＡに供給された端子金具１の導体圧着部４及び被覆圧着部５を端子圧着部１００がかしめることで、端子金具１を電線６の端部に圧着させて電気的に接続する。
【００２２】
図５はスライドレール４２にセットされた端子マガジン２１の斜視図、図６は端子ホルダ３１に端子金具１を保持させた端子マガジン２１の斜視図である。
図２及び図５に示すように、端子供給部２０は、端子マガジン２１と、端子供給機構４１とを有している。端子マガジン２１は、端子供給機構４１に対して着脱可能とされている。端子マガジン２１は、複数の端子金具１を整列した状態に保持する。
端子供給機構４１は、端子マガジン２１を端子搬送方向（Ｘ）に沿って水平に移動させることで、端子マガジン２１に保持された複数の端子金具１のうちの指定された圧着対象の端子金具１を圧着ポジションＡに搬送して供給する。
【００２３】
図６に示すように、端子マガジン２１は、支持台２２と、複数の端子ホルダ３１（以下、端子ホルダ３１ａ〜３１ｄとも云う）とを有している。支持台２２は、長尺に形成されており、その上面には、段部２３が形成されている。また、支持台２２は、その下面に長手方向に延びる突条部２４を有している。支持台２２の一端側には、スリット２５ａを有する二股形状の係合部材２５が固定されている。
【００２４】
複数の端子ホルダ３１ａ〜３１ｄは、複数種類の端子金具１ａ〜１ｄをそれぞれ保持するもので、支持台２２の段部２３に整列されてネジ２６によって着脱可能に取り付けられている。これらの端子ホルダ３１ａ〜３１ｄは、対応する端子金具１ａ〜１ｄの電気接続部２を保持することで、端子金具１ａ〜１ｄの電線接続部３を側方へ突出させた状態とする。これにより、各端子ホルダ３１ａ〜３１ｄに保持された端子金具１ａ〜１ｄは、側方へ突出された電線接続部３が支持台２２の長手方向に沿って間隔をあけて平行に配列される。端子ホルダ３１ａ〜３１ｄは、端子金具１ａ〜１ｄの電気接続部２の形状や大きさに対応して複数種類（本実施形態では、４種類）が用意されている。これにより、支持台２２には、様々な種類の端子金具１ａ〜１ｄに対応した端子ホルダ３１ａ〜３１ｄが固定される。
【００２５】
図７〜図９は、本実施形態に係る端子ホルダ３１（３１ａ）を説明するための斜視図および分解斜視図である。
図７〜図９に示すように、端子ホルダ３１（３１ａ）は、ホルダブロック３２と、係止板３３とを有している。ホルダブロック３２には、保持溝３４が形成されており、この保持溝３４に端子金具１（１ａ）の電気接続部２が収容される。係止板３３は、ホルダブロック３２の保持溝３４の後方側に形成された窓部３５に挿し込まれ、回動ピン３６によって回動可能に支持される。これにより、端子ホルダ３１（３１ａ）は、係止板３３が回動されることで、保持溝３４の上部開口が開閉される。保持溝３４に端子金具１（１ａ）の電気接続部２を配置させた状態で係止板３３を回動させて閉じることで、端子金具１（１ａ）は、その電気接続部２が端子ホルダ３１（３１ａ）に保持され、電線接続部３が端子ホルダ３１（３１ａ）の側方へ突出した状態とされる。
【００２６】
また、ホルダブロック３２には、保持溝３４を横切るように、突当ピン３７が挿し込まれている。この突当ピン３７には、保持溝３４内に収容する端子金具１の電気接続部２の先端が当接される。これにより、端子金具１は、その電線接続部３が所定の突出量で突出された状態に端子ホルダ３１に保持される。なお、この突当ピン３７は、端子ホルダ３１ａ〜３１ｄへ保持させる端子金具１ａ〜１ｄの種類に応じて、各ホルダブロック３２における挿し込み位置が異なっている。これにより、各種の端子金具１ａ〜１ｄは、その種類に関わらず、ホルダブロック３２からの電線接続部３の突出寸法が略同一とされる。
【００２７】
図８に示すように、端子ホルダ３１には、ホルダブロック３２の上部に、後方へ突出する固定片３８が形成されている。この固定片３８には、一対の孔部３８ａが形成されており、この孔部３８ａにネジ２６を挿し込んで支持台２２のネジ孔（図示略）にねじ込むことで、端子ホルダ３１（３１ａ）が支持台２２に固定される。また、固定片３８には、下方へ突出する位置決めピン３９が設けられており、この位置決めピン３９が支持台２２の位置決め孔（図示略）に挿し込まれることで、端子ホルダ３１（３１ａ）は支持台２２に対して位置決めされる。
【００２８】
図１０は、各種の端子金具１ａ〜１ｄ及び各種の端子ホルダ３１ａ〜３１ｄの斜視図である。図１１は、各種の端子金具１ａ〜１ｄを保持した各種の端子ホルダ３１ａ〜３１ｄの斜視図である。
図１０及び図１１に示すように、本実施形態に係る端子圧着装置１０では、複数種類の端子金具１ａ〜１ｄを電線６に圧着して接続する。例えば、端子金具１ａ〜１ｄとしては、電気接続部２の幅寸法Ｗ、高さ寸法Ｈ、長さ寸法Ｌあるいは形状等が異なるものがある。また、端子金具１ａ〜１ｄとしては、導体７及び被覆８の径や種類が異なる様々な電線６に対応した形状や大きさの電線接続部３を有するものや、複数本の電線６の圧着に対応した形状や大きさの電線接続部３を有するものがある。
【００２９】
したがって、端子金具１ａ〜１ｄを保持する端子ホルダ３１ａ〜３１ｄとしては、このような複数種類の端子金具１ａ〜１ｄに対応した複数種類のものが用意されている。具体的には、端子ホルダ３１ａ〜３１ｄとしては、各種の端子金具１ａ〜１ｄの電気接続部２に対応した幅寸法、深さ寸法、奥行寸法あるいは形状等が異なる保持溝３４を備えるとともに、この保持溝３４に対応した係止板３３を備えるものが用意されている。つまり、端子ホルダ３１ａ〜３１ｄは、係止板３３を閉じた際に形成される電気接続部２の保持空間の幅寸法ｗ、高さ寸法ｈ、奥行寸法ｄ及び形状が、保持対象の端子金具１ａ〜１ｄに対応した寸法や形状とされている。
【００３０】
端子ホルダ３１ａ〜３１ｄには、その保持溝３４に、対応した種類の端子金具１ａ〜１ｄの電気接続部２が収容されて突当ピン３７に当接される。この状態で、係止板３３を回動させて保持溝３４の上部開口を閉じることで、電気接続部２が端子ホルダ３１ａ〜３１ｄに保持され、電線接続部３が端子ホルダ３１ａ〜３１ｄの側方へ突出した状態とされる。そして、対応する端子金具１ａ〜１ｄを保持した端子ホルダ３１ａ〜３１ｄは、端子マガジン２１に組付けられる。
【００３１】
図１２〜図１４は、本実施形態に係る端子圧着装置１０の主要構成部分を各方向から視た斜視図である。
図１２〜図１４に示すように、端子供給機構４１は、スライドレール４２と、水平移動機構（位置調整機構）４３と、カメラ（撮影装置）４４とを備えている。
【００３２】
スライドレール４２は、圧着ポジションＡを通るように、端子圧着装置１０の左右方向（図３における左右方向）である端子搬送方向（Ｘ）に沿って水平に配置されている。このスライドレール４２には、端子マガジン２１が載置される（図５参照）。スライドレール４２には、長手方向に沿ってレール溝４５が形成されており、このレール溝４５に、端子マガジン２１の支持台２２に形成された突条部２４が嵌め込まれる（図５参照）。これにより、スライドレール４２に載置された端子マガジン２１は、スライドレール４２の長手方向に沿ってスライド可能に支持される。なお、スライドレール４２は、圧着ポジションＡ及びその周囲を含む部分が切り欠かれている。
【００３３】
水平移動機構４３は、左右移動機構部５１と、前後移動機構部５２とを有している。左右移動機構部５１は、スライダー５５を備えており、このスライダー５５は、サーボモータ５４により端子搬送方向（Ｘ）に沿ってリニアガイド５８上を移動される。スライダー５５には、スライドレール４２側へ延びる連結板５６が固定されている（図５参照）。この連結板５６には、上面に突起部５７ａを有する連結ブロック５７が固定されている。この連結ブロック５７の上部には、スライドレール４２に載置された端子マガジン２１の係合部材２５が配置されている。そして、連結ブロック５７の突起部５７ａが、係合部材２５のスリット２５ａに係合する。
【００３４】
これにより、端子マガジン２１は、スライダー５５に対して端子圧着装置１０の前後方向（図４における左右方向）である電線供給方向（Ｙ）へは相対変位可能に、端子搬送方向（Ｘ）へは相対変位不能に連結される。そして、端子マガジン２１は、スライダー５５が左右移動機構部５１によって端子搬送方向（Ｘ）に沿って移動されることで、このスライダー５５とともに端子搬送方向（Ｘ）に沿って移動される。これにより、端子マガジン２１の端子ホルダ３１（３１ａ〜３１ｄ）に保持された端子金具１（１ａ〜１ｄ）が、圧着ポジションＡに搬送される。
【００３５】
前後移動機構部５２は、スライドレール４２に連結されているレール支持台５９と、レール支持台５９を電線供給方向（Ｙ）へ移動させる電動シリンダ５３と、を有する。この前後移動機構部５２の電動シリンダ５３は、レール支持台５９を介してスライドレール４２を端子圧着装置１０の前後方向である電線供給方向（Ｙ）へ移動させる。そして、前後移動機構部５２によってスライドレール４２が電線供給方向（Ｙ）へ移動されると、このスライドレール４２に載置された端子マガジン２１の端子ホルダ３１（３１ａ〜３１ｄ）に保持されて圧着ポジションＡに配置された端子金具１（１ａ〜１ｄ）が、電線供給方向（Ｙ）へ変位される。
【００３６】
カメラ４４は、圧着ポジションＡに配置される端子金具１（１ａ〜１ｄ）の電線接続部３を撮影する撮影装置である。カメラ４４は、例えば、ＣＣＤ（Ｃｈａｒｇｅ  Ｃｏｕｐｌｅｄ  Ｄｅｖｉｃｅ）などの撮像素子を備えており、圧着ポジションＡを撮影した映像のデータは、制御装置１２へ送信される。制御装置１２は、カメラ４４で撮影された映像に基づいて、水平移動機構４３を構成する左右移動機構部５１及び前後移動機構部５２を制御する。これにより、端子金具１（１ａ〜１ｄ）は、その電線接続部３が圧着ポジションＡの所定位置に正確に位置決めされる。
【００３７】
図１５は、電線供給部７０及びマルチアプリケータ１１０の斜視図であり、図１６は、圧着ポジションを右側から視た斜視図であり、図１７及び図１８は、圧着ポジションを左側から視た斜視図である。
【００３８】
図１５〜図１８に示すように、電線供給部７０は、電線把持部７１と、電線位置決め部７２とを備えている。電線把持部７１は、台座７３に支持されている。台座７３は、電動シリンダ７８を有する送り機構部７４によって端子圧着装置１０の前後方向である電線供給方向（Ｙ）へスライドされる。
【００３９】
電線把持部７１は、アングル７５を介して台座７３に対して上下方向（Ｚ）へ移動可能に支持されている。台座７３とアングル７５との間には、エアシリンダ７６が設けられており、このエアシリンダ７６によって電線把持部７１が昇降される。
【００４０】
電線把持部７１は、一対の把持爪８１を備えている。一対の把持爪８１は、互いに近接離間方向へ回動可能に支持されている。これらの把持爪８１は、エアシリンダ８２によって開閉される。そして、これらの把持爪８１の間に電線６が配置された状態で把持爪８１が閉じられることで、電線６が把持爪８１によって把持され、また、把持爪８１が開かれることで、把持されていた電線６の把持が解除される。
【００４１】
電線位置決め部７２は、図１７に示すように、電線把持部７１に対して圧着ポジションＡ側の電線位置決め位置Ｂに配置されている。電線位置決め部７２は、位置決めブロック９０を有している。位置決めブロック９０は、電線当接面９１と、電線収容溝９２とを有している。この位置決めブロック９０には、導体７を露出させた電線６の端部近傍が電線収容溝９２に収容されると共に、導体７の端部が電線当接面９１に当接される。これにより、作業者により電線位置決め部７２にセットされた電線６が、電線位置決め位置に位置決めされた状態に配置される。位置決めブロック９０は、固定バー９３を介して回動バー９４の揺動端に固定されている。回動バー９４は、架台１１に立設された支柱９６に回動可能に支持されている。また、電線位置決め部７２は、架台１１と回動バー９４とに連結されたエアシリンダ９５を有している。そして、このエアシリンダ９５が駆動することで、回動バー９４が回動される。これにより、位置決めブロック９０が、電線位置決め位置Ｂと、この電線位置決め位置Ｂから下方へ外れた退避位置との間で移動される。
【００４２】
図１２〜図１４に示すように、端子圧着部１００は、マルチアプリケータ１１０と、押圧機構１４０とを備えている。マルチアプリケータ１１０及び押圧機構１４０は、架台１１に支持されており、押圧機構１４０は、マルチアプリケータ１１０の上方に支持されている。
【００４３】
図１５に示すように、マルチアプリケータ１１０は、鉛直方向に支持された回転軸１１１を有している。回転軸１１１は、その下端部に直交軸ギヤボックス１１２を介してサーボモータからなる回転駆動モータ１１３が連結されている。回転軸１１１は、回転駆動モータ１１３の回転駆動力が直交軸ギヤボックス１１２を介して伝達されることで回転する。
【００４４】
回転軸１１１は、アンビル支持テーブル１２０と、クリンパ支持テーブル１３０とを有している。クリンパ支持テーブル１３０は、アンビル支持テーブル１２０の上方側に配置されている。アンビル支持テーブル１２０には、複数（本例では８個）のアンビル１２１が周方向へ等間隔に設けられている。クリンパ支持テーブル１３０には、複数（本例では８個）のクリンパ１３１が周方向へ等間隔に設けられている。アンビル１２１とクリンパ１３１とは、互いに対となるように、周方向で一致した位置に配置されている。このように、端子圧着部１００は、回転軸１１１に複数対のアンビル１２１とクリンパ１３１を有するロータリー式のマルチアプリケータ１１０を備えている。
【００４５】
図１６〜図１８に示すように、アンビル１２１には、それぞれワイヤアンビル１２２と被覆アンビル１２３とが支持されている。クリンパ１３１には、それぞれワイヤクリンパ１３２と被覆クリンパ１３３とが設けられている。
【００４６】
ワイヤクリンパ１３２及び被覆クリンパ１３３は、クリンパホルダ１３４に取り付けられている。クリンパホルダ１３４は、クリンパ１３１において、上下方向にスライド可能に支持されており、付勢部材（図示略）によって上方へ常に付勢されている。これにより、クリンパ１３１におけるワイヤクリンパ１３２及び被覆クリンパ１３３は、アンビル１２１におけるワイヤアンビル１２２及び被覆アンビル１２３から離間されている。ワイヤクリンパ１３２は、被覆クリンパ１３３に形成された長孔１３３ａに係合するスライドブロック１３５を介してクリンパホルダ１３４にネジ固定されている。被覆クリンパ１３３は、クリンパホルダ１３４に対してスライドブロック１３５を介してスライド可能に取り付けられている。これにより、被覆クリンパ１３３は、ワイヤクリンパ１３２に対して上下方向へ相対移動可能とされている。被覆クリンパ１３３の正面側には、かしめ時に電線６を弾性的に押える電線押さえ機構１３７が設けられている。
【００４７】
マルチアプリケータ１１０は、回転駆動モータ１１３によって回転軸１１１が回転され、いずれかの対のアンビル１２１とクリンパ１３１が圧着ポジションＡ側へ配置される。この状態で、圧着ポジションＡ側に配置されたアンビル１２１のワイヤアンビル１２２及び被覆アンビル１２３が圧着ポジションＡの下方に配置され、圧着ポジションＡ側に配置されたクリンパ１３１のワイヤクリンパ１３２及び被覆クリンパ１３３が圧着ポジションＡの上方に配置される。
【００４８】
図１９及び図２０は、押圧機構１４０の前方側及び後方側から視た斜視図である。
図１９及び図２０に示すように、押圧機構１４０には、直交軸ギヤボックス１４１を介してサーボモータからなる駆動モータ１４２が連結されている。押圧機構１４０には、直交軸ギヤボックス１４１の出力軸に設けられたクランク軸（図示略）にプレスラム１４３が連結されている。プレスラム１４３は、駆動モータ１４２の駆動力が直交軸ギヤボックス１４１及びクランク軸を介して伝達されることで昇降される。
【００４９】
プレスラム１４３には、その下部に押圧ブロック１５０が取り付けられている。この押圧ブロック１５０には、ワイヤクリンパ押圧板（ワイヤクリンパ押圧部）１５２と、被覆クリンパ押圧板（被覆クリンパ押圧部）１５３とが取り付けられている。ワイヤクリンパ押圧板１５２は、押圧ブロック１５０にネジ止め固定されている。
【００５０】
ワイヤクリンパ押圧板１５２は、その下端部が圧着ポジションＡの上方に配置されたクリンパホルダ１３４の上端部と係合される。また、被覆クリンパ押圧板１５３は、その下端部が圧着ポジションＡの上方に配置された被覆クリンパ１３３の上端部上に配置される。クリンパホルダ１３４の背面側には、かしめ時に端子ホルダ３１の係止板３３を上方から弾性的に押えるホルダ押さえ機構１３６が設けられている。
【００５１】
次に、上記構成の端子圧着装置１０によって端子金具１（１ａ〜１ｄ）を電線６に圧着して接続する端子圧着方法について説明する。
【００５２】
（端子マガジン２１への端子金具１のセット）
電線６に圧着する複数種類の端子金具１ａ〜１ｄが、端子マガジン２１に取り付けられた端子ホルダ３１ａ〜３１ｄに保持される（端子保持工程）。具体的には、端子ホルダ３１ａ〜３１ｄの係止板３３を開いた状態で、ホルダブロック３２の保持溝３４に、それぞれ対応した種類の端子金具１ａ〜１ｄの電気接続部２を収容して突当ピン３７に先端を当接させ、その後、係止板３３を回動させて閉じる（図７参照）。このようにすると、各種の端子金具１ａ〜１ｄの電気接続部２が端子ホルダ３１ａ〜３１ｄに保持され、電線接続部３が端子ホルダ３１ａ〜３１ｄの側方へ突出された状態となる（図６、図１１参照）。
【００５３】
（端子供給部２０への端子マガジン２１のセット）
端子ホルダ３１（３１ａ〜３１ｄ）に端子金具１（１ａ〜１ｄ）を保持した端子マガジン２１が、端子供給部２０を構成する端子供給機構４１のスライドレール４２にセットされる。このとき、支持台２２の突条部２４がレール溝４５に嵌め込まれるとともに、係合部材２５のスリット２５ａが連結ブロック５７の突起部５７ａに係合される（図５参照）。このようにすると、端子マガジン２１が端子供給機構４１のスライドレール４２にスライド可能に支持されるとともに、端子マガジン２１が連結板５６を介して水平移動機構４３のスライダー５５に連結された状態とされる。
【００５４】
（端子金具１の搬送）
端子マガジン２１が端子供給部２０の端子供給機構４１にセットされ、端子圧着装置１０による端子金具１（１ａ〜１ｄ）の圧着動作が開始すると、スライダー５５が左右移動機構部５１によってスライドし、スライダー５５に連結された端子マガジン２１がスライドレール４２上を端子搬送方向（Ｘ）に沿って圧着ポジションＡへ向かってスライド（移動）する（マガジン移動工程）。これにより、端子マガジン２１の端子ホルダ３１（３１ａ〜３１ｄ）に保持された端子金具１（１ａ〜１ｄ）が圧着ポジションＡへ向かって搬送され、圧着対象の端子金具１（１ａ〜１ｄ）が圧着ポジションＡに配置される。
【００５５】
（端子金具１の位置決め）
圧着対象の端子金具１（１ａ〜１ｄ）が圧着ポジションＡに搬送される直前には、カメラ４４によって端子金具１（１ａ〜１ｄ）の電線接続部３が上方から撮影される（端子撮影工程）。
図１４に示すように、カメラ４４による撮影範囲に対応するスライドレール４２の後方側（図４における左方側）には、レール支持台５９に固定されたエアシリンダ２０１が配置されている。エアシリンダ２０１は、図示しない押圧ピンをスライドレール４２の前方側に突出させ、撮影対象となる端子金具１（１ａ〜１ｄ）を保持している端子ホルダ３１（３１ａ〜３１ｄ）の係止板３３の後端上側を押圧付勢する。すると、係止板３３が閉じ方向に回動され、保持溝３４に収容されている端子金具１（１ａ〜１ｄ）のガタツキが除去される。従って、端子金具１（１ａ〜１ｄ）の電線接続部３は、振れることなくカメラ４４によって撮影される。
そして、この圧着ポジションＡに配置された端子金具１（１ａ〜１ｄ）の電線接続部３を撮影した映像のデータが、カメラ４４から制御装置１２へ送信される。
【００５６】
制御装置１２では、カメラ４４で撮影された映像に基づいて、端子金具１（１ａ〜１ｄ）の電線接続部３の圧着ポジションＡに対する位置ずれが検査される（位置ずれ検査工程）。例えば、電線接続部３における導体圧着部４の基準となる縁部の位置が圧着ポジションＡにおける所定位置に対してずれている位置ずれ量が検出される。その結果、電線接続部３に位置ずれが生じている場合、制御装置１２が水平移動機構４３を制御して電線接続部３の圧着ポジションＡの所定位置に対する位置ずれを補正し、端子金具１（１ａ〜１ｄ）の位置を圧着ポジションＡの所定位置に合わせる位置決め処理を行う（端子位置決め工程）。具体的には、左右移動機構部５１によって端子マガジン２１の端子搬送方向（Ｘ）の位置が調整され、前後移動機構部５２によってスライドレール４２の電線供給方向（Ｙ）の位置が調整される。これにより、圧着対象の端子金具１（１ａ〜１ｄ）の電線接続部３が圧着ポジションＡの所定位置に高精度に配置される。
【００５７】
（アプリケータの選択）
端子圧着装置１０による端子金具１（１ａ〜１ｄ）の圧着動作が開始されると、マルチアプリケータ１１０では、圧着ポジションＡに配置された圧着対象の端子金具１（１ａ〜１ｄ）に対応するアンビル１２１及びクリンパ１３１の対が選択される。すると、回転駆動モータ１１３が駆動して回転軸１１１が回転し、選択されたアンビル１２１及びクリンパ１３１が圧着ポジションＡ側へ配置される（アンビル及びクリンパ配置工程）。この状態で、クリンパ１３１のクリンパホルダ１３４の上端部がワイヤクリンパ押圧板１５２の下端部に係合され、被覆クリンパ１３３の上端部上に被覆クリンパ押圧板１５３の下端部が配置される。
【００５８】
（電線６の供給）
作業者は、導体７が露出された電線６の端部を位置決めブロック９０の電線収容溝９２に収容させると共に、電線当接面９１に導体７の端部を当接させて電線位置決め位置Ｂに位置決めし、電線供給動作を開始させる。
すると、電線供給部７０では、エアシリンダ８２によって電線把持部７１の把持爪８１が閉じ、電線６が把持爪８１によって把持される。すると、エアシリンダ９５によって回動バー９４が回動され、位置決めブロック９０が電線位置決め位置Ｂから外れた退避位置に移動する。
【００５９】
そして、電線把持部７１が送り機構部７４によって電線供給方向（Ｙ）に沿って圧着ポジションＡへ向かって移動するとともに、エアシリンダ７６によって下降される。これにより、導体７が露出された電線６の端部が圧着ポジションＡに供給され、端子金具１（１ａ〜１ｄ）の電線接続部３の上にセットされる（電線セット工程）。
【００６０】
（端子金具１の圧着）
圧着ポジションＡにおける端子金具１（１ａ〜１ｄ）の電線接続部３の上に電線６がセットされると、端子圧着部１００における押圧機構１４０の駆動モータ１４２が駆動し、プレスラム１４３とともに押圧ブロック１５０が下降される。
【００６１】
すると、押圧ブロック１５０に固定されたワイヤクリンパ押圧板１５２が下降され、クリンパホルダ１３４に固定されたワイヤクリンパ１３２が押し下げられる。また、押圧ブロック１５０が下降されると、押圧ブロック１５０に設けられた被覆クリンパ押圧板１５３も下降され、クリンパホルダ１３４に支持された被覆クリンパ１３３が押し下げられる。これにより、圧着ポジションＡに配置された端子金具１（１ａ〜１ｄ）の電線接続部３は、ワイヤアンビル１２２とワイヤクリンパ１３２とで導体圧着部４の導体圧着片４ａが導体７にかしめられ、被覆アンビル１２３と被覆クリンパ１３３とで被覆圧着部５の被覆圧着片５ａが被覆８の部分にかしめられる（端子かしめ工程）。この結果、端子金具１（１ａ〜１ｄ）は、電線接続部３において、導体圧着部４が端部で露出された電線６の導体７に圧着され、被覆圧着部５が電線６の被覆８の部分に圧着される。これにより、端子金具１（１ａ〜１ｄ）は、電線６に対して圧着されて電気的に接続される。
【００６２】
そして、端子金具１（１ａ〜１ｄ）の電線６への圧着が終了すると、圧着ポジションＡの奥側からエアシリンダ２０５により駆動された保持解除ピン（図示略）が突出し、圧着済みの端子金具１（１ａ〜１ｄ）を保持している端子ホルダ３１（３１ａ〜３１ｄ）の係止板３３の後端下側を押圧付勢する。すると、係止板３３が開方向に回動されて開かれ、圧着済みの端子金具１（１ａ〜１ｄ）がホルダブロック３２の保持溝３４から取り出し可能とされる。その後、端子圧着装置１０では、次の圧着対象の端子金具１（１ａ〜１ｄ）への圧着動作が開始される。
【００６３】
ところで、電線６に圧着される端子金具１（１ａ〜１ｄ）は、前述したように、電気接続部２の幅寸法Ｗ、高さ寸法Ｈ、長さ寸法Ｌあるいは形状等が異なる複数種類のものがある（図１０参照）。このため、リールに巻回した連鎖端子の状態で端子金具を供給する従来の圧着機では、各種の端子金具を供給する為に、供給装置及びリールを端子金具の種類毎に複数設置する必要があり、装置の大型化及び設置スペースの占有が免れなかった。
【００６４】
これに対して、本実施形態に係る端子圧着装置１０及び端子圧着方法によれば、各種の端子金具１ａ〜１ｄを複数の端子ホルダ３１ａ〜３１ｄにそれぞれ保持させた端子マガジン２１を端子供給機構４１に装着することで、端子ホルダ３１ａ〜３１ｄに保持された各種の端子金具１ａ〜１ｄが圧着ポジションＡに搬送されて電線６に順次圧着される。したがって、端子金具１ａ〜１ｄを供給する供給装置や連鎖端子を巻回したリールを端子金具１ａ〜１ｄの種類毎に複数設置する必要がなく、端子圧着装置１０の小型化を図ることができ、設置スペースを削減できる。
【００６５】
また、マルチアプリケータ１１０に設けられた複数対のアンビル１２１とクリンパ１３１のうちから圧着対象の端子金具１ａ〜１ｄに対応する対のアンビル１２１とクリンパ１３１が選択され、この選択されたアンビル１２１とクリンパ１３１によって、圧着ポジションＡに供給された端子金具１ａ〜１ｄが電線６に圧着される。したがって、複数種類の端子金具１ａ〜１ｄを迅速に電線６へ圧着させることができ、多品種少量生産においても、生産性及び品質の向上を図ることができる。
【００６６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６７】
例えば、カメラ４４によって端子金具１（１ａ〜１ｄ）の電線接続部３の傾き等の姿勢を検出し、電線接続部３が傾いている場合には、端子圧着装置１０を停止させたり、端子ホルダ３１（３１ａ〜３１ｄ）に保持された端子金具１（１ａ〜１ｄ）の傾きを調整可能な機構を設けて傾きを補正したりしてもよい。
【００６８】
また、端子マガジン２１の各端子ホルダ３１（３１ａ〜３１ｄ）に端子金具１（１ａ〜１ｄ）を保持させる自動機や、電線６の端部で被覆８を除去して導体７を露出させて電線供給部７０へ送り込む自動機を設けることで、作業効率をさらに向上させることができる。
【００６９】
なお、上記実施形態では、クリンパ１３１を押圧機構１４０によってアンビル１２１へ押圧することで電線６に端子金具１を自動で圧着させる自動機からなる端子圧着装置１０を例示して説明したが、本発明が適用される端子圧着装置は自動機に限らない。つまり、本発明は、電線６に手動で端子金具１（１ａ〜１ｄ）を圧着させる端子圧着装置にも適用可能である。この場合も、端子金具１（１ａ〜１ｄ）を供給する供給装置や連鎖端子を巻回したリールを端子金具１ａ〜１ｄの種類毎に複数設置する必要がなく、手動の端子圧着装置１０の小型化を図ることができ、設置スペースを削減できる。
【００７０】
ここで、上述した本発明に係る端子圧着装置及び端子圧着方法の実施形態の特徴をそれぞれ以下［１］〜［３］に簡潔に纏めて列記する。
［１］  圧着ポジション（Ａ）に配置された端子金具（１）を電線（６）に圧着する端子圧着装置（１０）であって、
前記圧着ポジション（Ａ）の下方に配置されるアンビル（１２１）と、
前記圧着ポジション（Ａ）の上方に配置されるクリンパ（１３１）と、
前記クリンパ（１３１）を押し下げることで前記アンビル（１２１）と前記クリンパ（１３１）とで前記電線（６）に前記端子金具（１）を圧着させる押圧機構（１４０）と、
前記圧着ポジション（Ａ）へ前記端子金具（１）を供給するための端子供給機構（４１）と、を備え、
前記端子供給機構（４１）には、各種の前記端子金具（１ａ〜１ｄ）をそれぞれ保持する複数の端子ホルダ（３１ａ〜３１ｄ）が配列された端子マガジン（２１）が着脱可能に設けられ、
前記端子供給機構（４１）は、前記端子マガジン（２１）を移動させて前記端子ホルダ（３１ａ〜３１ｄ）に保持された前記端子金具（１ａ〜１ｄ）を前記圧着ポジション（Ａ）へ搬送する
ことを特徴とする端子圧着装置。
［２］  複数種類の前記端子金具（１ａ〜１ｄ）をそれぞれ前記電線（６）に圧着する複数対の前記アンビル（１２１）と前記クリンパ（１３１）を有するマルチアプリケータ（１１０）を備え、
前記マルチアプリケータ（１１０）は、前記圧着ポジション（Ａ）に送り込まれる前記端子金具（１）に対応する対の前記アンビル（１２１）と前記クリンパ（１３１）が選択されて前記圧着ポジション（Ａ）へ配置される
ことを特徴とする上記［１］に記載の端子圧着装置。
［３］  電線（６）に圧着される端子金具（１）が、端子マガジン（２１）に取り付けられた少なくとも１つの端子ホルダ（３１）に保持される工程と、
前記端子ホルダ（３１）に前記端子金具（１）を保持した前記端子マガジン（２１）が、端子搬送方向に沿って圧着ポジション（Ａ）へ向かって移動される工程と、
前記圧着ポジション（Ａ）に配置された前記端子金具（１）の電線接続部（３）が、導体（７）が露出された電線（６）の端部にアンビル（１２１）及びクリンパ（１３１）の対によりかしめられる工程と、を含む
ことを特徴とする端子圧着方法。
【符号の説明】
【００７１】
１（１ａ〜１ｄ）：端子金具
６：電線
１０：端子圧着装置
２１：端子マガジン
３１（３１ａ〜３１ｄ）：端子ホルダ
４１：端子供給機構
１１０：マルチアプリケータ
１２１：アンビル
１３１：クリンパ
１４０：押圧機構
Ａ：圧着ポジション
【図１】
2019061846.tif 000003
【図２】
2019061846.tif 000004
【図３】
2019061846.tif 000005
【図４】
2019061846.tif 000006
【図５】
2019061846.tif 000007
【図６】
2019061846.tif 000008
【図７】
2019061846.tif 000009
【図８】
2019061846.tif 000010
【図９】
2019061846.tif 000011
【図１０】
2019061846.tif 000012
【図１１】
2019061846.tif 000013
【図１２】
2019061846.tif 000014
【図１３】
2019061846.tif 000015
【図１４】
2019061846.tif 000016
【図１５】
2019061846.tif 000017
【図１６】
2019061846.tif 000018
【図１７】
2019061846.tif 000019
【図１８】
2019061846.tif 000020
【図１９】
2019061846.tif 000021
【図２０】
2019061846.tif 000022